(57)【要約】【課題】鼻や口を塞ぐことのできる布材が常備されており、しかも、布材の不使用時には布材が無用に垂れ下がらないように収納しておくことができる防災頭巾を提供する。【解決手段】使用者の頭に被せられるフード部２０と、該フード部２０の側部に設けられた前方に開口するポケット４０と、該ポケット４０内に一端側が縫着され、他端側がポケットの開口４１から引出し可能にポケット４０内に収納された帯状布５０とを備える。また、前記ポケット４０の開口４１に設けられ、スライダー４３が下方に移動することで前記ポケット４０を開口させるファスナー４２をさらに備える。また、前記フード部２０は、内部にクッション材を有する内地と、該内地の外側に縫着された外地とから構成されており、前記ポケット４０は、前記内地と前記外地との間の空間によって形成されており、前記帯状布５０の一端側は、前記ポケット４０を構成する前記外地に縫着されている。【選択図】図２
2010051419.tif 000002
【特許請求の範囲】
【請求項１】
使用者の頭に被せられるフード部と、
該フード部の側部に設けられた前方に開口するポケットと、
該ポケット内に一端側が縫着され、他端側がポケットの開口から引出し可能にポケット内に収納された帯状布と
を備えることを特徴とする防災頭巾。
【請求項２】
前記ポケットの開口に設けられ、スライダーが下方に移動することで前記ポケットを開口させるファスナーをさらに備えることを特徴とする請求項１に記載の防災頭巾。
【請求項３】
前記フード部は、内部にクッション材を有する内地と、該内地の外側に縫着された外地とから構成されており、
前記ポケットは、前記内地と前記外地との間の空間によって形成されており、
前記帯状布の一端側は、前記ポケットを構成する前記外地に縫着されている
ことを特徴とする請求項１または請求項２に記載の防災頭巾。
【発明の詳細な説明】
【技術分野】
【０００１】
本発明は、地震や火災等の災害時において避難する際に、落下物や熱から頭を保護するために頭に被る防災頭巾に関するものである。
【背景技術】
【０００２】
地震や火災等の災害時において避難する際には、落下物や熱から頭を保護することが望ましい。そこで、災害時には、防災頭巾を頭に被って避難することが提唱されている。
【０００３】
上記背景技術は、一般的になされている事項であり、本願出願人は、出願時において、この背景技術が記載された文献を特に知見していない。
【発明の開示】
【発明が解決しようとする課題】
【０００４】
ところで、災害時に避難する際には、地震や火災等によって生じた粉塵や煙を吸い込まないように、タオルやハンカチで鼻や口を塞ぎつつ避難することが推奨されるのであるが、避難者がタオルやハンカチを常備しているとは限らない。
【０００５】
ここで、防災頭巾にタオルやハンカチの代わりとなる長尺状の布材（以下「帯状布」という）を付けておくことが単に考えられるが、使用しない時に防災頭巾から無用に帯状布が垂れ下がっていると、帯状布が鬱陶しい存在となるばかりか、帯状布が建物の突起等に引っ掛かかる等して速やかな避難に支障を来たす虞がある。
【０００６】
一方、防災頭巾にポケットを設けて、このポケットにタオルやハンカチを入れておくことも単に考えられる。しかしながら、ポケットにタオルやハンカチを入れておくことは、防災頭巾を使用する者や防災頭巾を管理する者の心がけ次第となり、いざと言う災害時において、タオルやハンカチがポケットに入っていないことが想定される。
【０００７】
本発明は、上記実情を鑑みてなされたものであり、鼻や口を塞ぐことのできる帯状布が常備されており、しかも、帯状布の不使用時には帯状布が無用に垂れ下がらないように収納しておくことができる防災頭巾の提供を課題とする。
【課題を解決するための手段】
【０００８】
上記課題を解決するために本発明の採った主要な手段は、
「使用者の頭に被せられるフード部と、
該フード部の側部に設けられた前方に開口するポケットと、
該ポケット内に一端側が縫着され、他端側がポケットの開口から引出し可能にポケット内に収納された帯状布と
を備えることを特徴とする防災頭巾」
である。
【０００９】
上記構成の防災頭巾では、フード部の側部に設けられたポケットに帯状布の一端が縫着されており、鼻や口を塞ぐことのできる帯状布が常に備えられている防災頭巾となっている。また、帯状布は、ポケット内に収納されており、帯状布の不使用時には、無用に垂れ下がることはない。
【００１０】
上述した手段において、
「前記ポケットの開口に設けられ、スライダーが下方に移動することで前記ポケットを開口させるファスナーをさらに備えることを特徴とする防災頭巾」
とするのが好適である。
【００１１】
ポケットに収納した帯状布が無用に飛出さないように、ポケットの開口を閉塞できるようにすることが望ましいのであるが、ボタンや面ファスナーによってポケットの開口を閉塞できるようにすると、ボタンや面ファスナーを外すのに両手を使用しなければならず、不便である。特に、災害時の避難に際しては、使用者がパニック状態となりがちであり、落着いていれば簡単にできる作業も簡単にはできない場合がある。
【００１２】
これに対して、上記構成の防災頭巾では、スライダーを移動させること開閉が行われるファスナー（「スライドファスナー」や「線ファスナー」とも称される）によって、ポケットの開口が開閉される。よって、スライダーを開方向に移動させるといったパニック状態にあっても簡単になし得る作業によってポケットを開口させることができ、使い易い防災頭巾を実現することができる。
【００１３】
また、ファスナーのスライダーは、下方への移動によってポケットを開口させるものであるため、帯状布を出そうとポケットのファスナーのスライダーを下方に引っ張っても、頭に被せた防災頭巾が脱げることはない。よって、この点で、上記構成の防災頭巾は、防災頭巾として安心して使用できるものである。特に、緊急時には、使用者が無用に力を入れてファスナーのスライダーを強く引っ張るのであるが、スライダーを強く下方に引っ張れば引っ張るほど、防災頭巾が頭に深く被せられることから、支障を来たさないどころか、かえって防災頭巾として理想的に機能することになる。
【００１４】
上述した手段において、
「前記フード部は、内部にクッション材を有する内地と、該内地の外側に縫着された外地とから構成されており、
前記ポケットは、前記内地と前記外地との間の空間によって形成されており、
前記帯状布の一端側は、前記ポケットを構成する前記外地に縫着されている
ことを特徴とする防災頭巾」
とするのが好適である。
【００１５】
帯状布の一端側をポケット内に縫着する場合、ポケットを構成する内側の布地または外側の布地のいずれの布地に縫着してもよいのであるが、内側の布地が、内部にクッション材を有する布地によって構成されていると、帯状布を内側の布地に縫着するのは面倒である。
【００１６】
これに対して、上記構成の防災頭巾では、帯状布をポケットの外地に縫着してあるため、帯状布をポケット内に簡便に縫着することができる。
【００１７】
ところで、帯状布は、長尺状の布であり、鼻や口を塞ぐばかりでなく、怪我の手当て等にも用いることができる。ここで、帯状布を怪我の手当て等に用いる場合には、ポケットに縫着された帯状布を引きちぎればよいのであるが、帯状布がクッション材を有する内地に縫着されていると、内地から帯状布を引きちぎった際に内地が破損してしまい、防災頭巾としての機能を低下させてしまう虞がある。
【００１８】
これに対して、上記構成の防災頭巾では、クッション材を有する内地ではなく外地に帯状布が縫着されているため、外地から帯状布を引きちぎっても、外地が損傷するだけであり、クッション材を有する内地が破損することはない。よって、帯状布を引きちぎっても、防災頭巾として十分に機能させることができる。
【発明の効果】
【００１９】
上述した通り、本発明によれば、鼻や口を塞ぐことのできる帯状布が常備されており、しかも、帯状布の不使用時には帯状布が無用に垂れ下がらないように収納しておくことができる防災頭巾を提供することができる。
【発明を実施するための最良の形態】
【００２０】
本発明に係る防災頭巾の実施形態としての一例を、以下、図面に従って詳細に説明する。
【００２１】
図１に示すように、防災頭巾１０は、下方から頭に被せることができるように底が開口し、前面から顔を出すことができるように前が開口する袋状に縫製されており、頭に被せることで使用者の頭頂部、側頭部及び後頭部を覆うフード部２０と、フード部２０の下方に延設されて使用者の首周り及び肩を覆う裾部３０とを有する形態に形成されている。そして、フード部２０の左右の側部には、夫々、ポケット４０（詳細は後述する）が設けられており、フード部２０の左右の各ポケット４０には、帯状布５０（詳細は後述する）が収納されている。
【００２２】
また、防災頭巾１０の前面の開口部分には、顎掛け６１が左右に架渡されている。防災頭巾１０を頭に被せて顎に顎掛け６１を引っ掛けることで、使用者の頭から防災頭巾１０が脱げ難くなる。
【００２３】
また、フード部２０の下部における使用者の耳に対応する部位には、鳩目によって構成された耳穴６２が穿設されており、防災頭巾１０を被っても、周囲の音や声が聞こえ難くなることがない。
【００２４】
さらに、裾部３０には、ホイッスルを入れておくことができるように、小ポケット６０が設けられている。ここで、ホイッスルを使用する場合は、身動きがとれない状態であることが想定されるため、小ポケット６０は、中からホイッスルを取出し易いように、閉塞できないように開放されている。なお、小ポケット６０の開口部分には、取付輪６３が設けてあり、ホイッスルに紐を付けて、この紐を取付輪６３に結び付けておけば、ホイッスルが紛失することを防止することができる。
【００２５】
次に、フード部２０の左右の側部に設けられたポケット４０、及び、各ポケット４０に備えられた帯状布５０の詳細を説明する。
【００２６】
フード部２０に設けられた各ポケット４０内には、帯状布５０の一端側が逢着されており、各ポケット４０に一端が縫着された帯状布５０は、折り畳んでポケット４０内に収納されている。ここで、帯状布５０は、タオルや手拭等の長尺状の布によって形成されており、図２に示すように、ポケット４０の開口４１から他端側を引き出して、鼻や口を塞ぐことができるものである。
【００２７】
なお、左右の一方の帯状布５０によって鼻や口を十分に塞ぐことができる場合には、フード部２０の左右のポケット４０のうち、一方のポケット４０を省略したり、左右にポケット４０を設けはするものの、一方のポケット４０に備える帯状布５０を省略することができる。
【００２８】
帯状布５０は、粉塵や煙を吸込まないように鼻や口を塞ぐ必要がある場合に使用されるのであるが、使用を要しない場合には、図１に示すように、ポケット４０に収納しておくことで、帯状布５０が無用に垂下がらず、避難の邪魔になることがない。
【００２９】
一方、避難中に粉塵や煙を吸込まないように鼻や口を塞ぐ必要がある場合には、帯状布５０は、ポケット４０に縫着されており、防災頭巾１０に常に備え付けられているものであることから、必ずある帯状布５０を的確に用いることができる。
【００３０】
また、帯状布５０によって鼻や口を塞ぎながら避難している最中に帯状布５０から手を離したとしても、帯状布５０は防災頭巾１０に縫着されていることから、帯状布５０を落としてしまうことはなく、防災頭巾１０からぶら下がった帯状布５０を手にして再び鼻や口を塞ぐことができる。
【００３１】
ところで、防災頭巾１０全体は、図３に示すように、内部に綿やスポンジ等のクッション材を有する内地１１と、この内地１１の外側に配置された外地１２とを縫製して形成されており、フード部２０のポケット４０は、内地１１と外地１２との間の空間によって形成されている。そして、帯状布５０の一端側は、ポケット４０の開口４１部分の近傍において、外地１２に縫着されている。
【００３２】
よって、帯状布５０をポケット４０内に簡便に縫着することができるばかりか、怪我等の手当てに用いるため等、必要に応じてポケット４０に縫着された帯状布５０を引きちぎった場合においても、クッション材を有する内地１１が破損することはなく、防災頭巾１０としての機能が低下することはない。
【００３３】
図１及び図２に示すように、ポケット４０の開口４１には、スライダー４３によって開閉する公知のファスナー４２が取付けられており、スライダー４３を上方に移動させることでポケット４０の開口４１が閉塞され、スライダー４３を下方に移動させることでポケット４０の開口４１が開放される。このようにスライダー４３の下方への移動によってポケット４０の開口４１が開放することとすれば、帯状布５０を使用すべくポケット４０を開けようとスライダー４３を下方に強く引っ張っても、防災頭巾１０が頭に深く被さるだけであり、防災頭巾１０が頭から脱げることはない。
【００３４】
また、スライダー４３には、リング４４が取付けられており、リング４４に指先を引掛けてスライダー４３を移動させることで、ポケット４０の開口４１を簡単に開閉することができるようにしてある。特に、防災頭巾１０の使用者が幼児である場合には、物を力強く摘んで動かすといった動作が苦手なのであるが、上述のようにファスナー４２のスライダー４３にリング４４を設けることで、幼児であってもポケット４０を簡単に開閉することができる。
【００３５】
ポケット４０は、帯状布５０の他にも種々の物品を収納することができる十分な大きさに形成されている。ここで、防災頭巾１０が、幼稚園や保育所等に常備したり、幼稚園や保育所の幼児が携帯したりするものである場合には、フード部２０の左右のポケット４０に使い捨ての紙オムツを入れておくことが好ましい。ポケット４０に紙オムツを入れておくと、紙オムツがクッションとなって、頭部をより確実に保護することができる。また、避難先にオムツを必要とする乳幼児がいる場合に、不足しがちなオムツを提供することができる。なお、幼児用に限らず、大人用の防災頭巾１０であっても、ポケット４０に紙オムツを入れておくとよい。頭部をより確実に保護することができたり、避難先で不足しがちなオムツを提供することができるばかりでなく、水分の吸収性がよく、しかも衛生的な紙オムツは、怪我の手当て等に用いることができるからである。
【図面の簡単な説明】
【００３６】
【図１】本発明に係る防災頭巾の一例を示す斜視図である。
【図２】図１に示した防災頭巾の帯状布を使用する状態を示す斜視図である。
【図３】ポケットの要部の構造を示す断面平面図である。
【符号の説明】
【００３７】
１０  防災頭巾
１１  内地
１２  外地
２０  フード部
３０  裾部
４０  ポケット
４１  開口
４２  ファスナー
４３  スライダー
４４  リング
５０  帯状布
６０  小ポケット
６１  顎掛け
６２  耳穴
６３  取付輪
【図１】
2010051419.tif 000003
【図２】
2010051419.tif 000004
【図３】
2010051419.tif 000005